(57)【要約】【課題】  レンズ付きフイルムユニットの内蔵電源として適正な性能を得られる小型電池、またこの電池が組み込まれたレンズ付きフイルムユニットをローコストに提供する。【解決手段】  レンズ付きフイルムユニット用電池１は、第１〜３正極材２ａ〜ｃと、負極材３と、セパレータ４と、これらを封入するケース５とからなる。リング状に形成された正極材２ａ〜ｃのうち、第１正極材２ａ及び第２正極材２ｂは、外周径Ｄ、内周径ｄ、及び軸長Ｌがともに同じように形成されている。第３正極材２ｃは、外周径Ｄ及び内周径ｄは第１，２正極材２ａ，２ｂと同じであるが、その軸長ｌが、第１，２正極材２ａ，２ｂの軸長Ｌよりも短い寸法に形成されている。正極材２ａ〜ｃの内部にセパレータ４が配置され、セパレータ４の内部に負極材３が充填される。【選択図】        図２
2005123155.tif 000002
【特許請求の範囲】
【請求項１】
リング状に形成された複数の正極材と、この正極材の内部に配置される負極材と、前記正極材及び前記負極材の間に挟まれ、両者が接触しないように隔離するセパレータと、これら負極材、正極材、及びセパレータが封入されるケースとを備えたレンズ付きフイルムユニット用電池において、
前記複数の正極材のうち、少なくとも１つは、他のものと寸法が異なるものを使用していることを特徴とするレンズ付きフイルムユニット用電池。
【請求項２】
前記複数の正極材のうち、他のものと異なる寸法を持つものは、その軸長が異なるように形成されていることを特徴とする請求項１記載のレンズ付きフイルムユニット用電池。
【請求項３】
前記複数の正極材のうち、他のものと異なる寸法を持つものは、その外周径が異なるように形成されていることを特徴とする請求項１又は２記載のレンズ付きフイルムユニット用電池。
【請求項４】
前記ケースは、その外形寸法が、直径９ｍｍ以上且つ１５ｍｍ以下、軸長２４ｍｍ以上且つ４０ｍｍ以下の略円筒形状であることを特徴とする請求項１ないし３いずれか１つ記載のレンズ付きフイルムユニット用電池。
【請求項５】
前記ケースは、正極側端部の形状が軸方向と直交する平面であり、その外形寸法が、直径９ｍｍ以上且つ１１ｍｍ以下、軸長２２ｍｍ以上且つ３８ｍｍ以下であることを特徴とする請求項４記載のレンズ付きフイルムユニット用電池。
【請求項６】
前記ケースは、軸方向において正極側に位置する正極側円筒部と、負極側に位置し、前記正極側円筒部よりも直径の大きい負極側円筒部とが組み合わされた形状であることを特徴とする請求項１ないし５いずれか１つ記載のレンズ付きフイルムユニット用電池。
【請求項７】
前記正極側円筒部と、前記負極側円筒部とは、その境界部分に形成された傾斜面で滑らかに連続して形成されていることを特徴とする請求項６記載のレンズ付きフイルムユニット用電池。
【請求項８】
正極側端部の形状が、軸方向に沿って突出する凸部、又は凹部、又は軸方向と直交する平面となるように形成されていることを特徴とする請求項１ないし７いずれか１つ記載のレンズ付きフイルムユニット用電池。
【請求項９】
外部から視認できる位置に、レンズ付きフイルムユニット専用である標記を施した請求項１ないし８いずれか１つ記載のレンズ付きフイルムユニット用電池。
【請求項１０】
正極側と負極側とを識別可能な標記を施したことを特徴とする請求項１ないし９いずれか１つ記載のレンズ付きフイルムユニット用電池。
【請求項１１】
前記ケースが、負極側端部が開口されたケース本体と、このケース本体の開口を封止するガスケットとからなり、このガスケットとして水素透過性のものを使用していることを特徴とする請求項１ないし１０いずれか１つ記載のレンズ付きフイルムユニット用電池。    
【請求項１２】
ＩＳＯ８００以上のフイルム感度を持つ高感度写真フイルムが予め装填されており、電源として単４型電池よりも寸法の小さい小型電池が組み込まれていることを特徴とするレンズ付きフイルムユニット。
【請求項１３】
ＩＳＯ１６００以上のフイルム感度を持つ高感度写真フイルムが予め装填されており、電源として単４型電池よりも寸法の小さい小型電池が組み込まれていることを特徴とするレンズ付きフイルムユニット。
【請求項１４】
システム感度をＧ、シャッタ速度をＴ秒、絞り値をＡ、写真フイルムのフイルム感度（ＩＳＯ）をＳとしたとき、
Ｇ＜８．０
但し、Ｇ＝２log2（Ａ）＋log2（１／Ｔ）−log2（Ｓ／１００）
の条件式を満たすとともに、電源として単４型電池よりも寸法の小さい小型電池が組み込まれていることを特徴とするレンズ付きフイルムユニット。
【請求項１５】
前記小型電池として単５型電池が使用されていることを特徴とする請求項１２ないし１４いずれか記載のレンズ付きフイルムユニット。
【請求項１６】
前記小型電池として請求項１〜１１いずれか記載の前記レンズ付きフイルムユニット用電池が使用されていることを特徴とする請求項１２ないし１４いずれか記載のレンズ付きフイルムユニット。
【請求項１７】
発光用メインコンデンサ、前記小型電池から供給される電荷を前記発光用メインコンデンサに充電する充電回路、ストロボ放電管、及び前記発光用メインコンデンサに蓄積された電荷を前記ストロボ放電管に放電させてストロボ発光させる発光回路とからなるストロボ装置が組み込まれ、前記発光用メインコンデンサの容量ＣM （μＦ）が
ＣM ≦６０
の条件を満たすことを特徴とする請求項１２ないし１６いずれか記載のレンズ付きフイルムユニット
【発明の詳細な説明】
【技術分野】
【０００１】
本発明は、レンズ付きフイルムユニットに内蔵される電源用の乾電池、及びレンズ付きフイルムユニットに関するものである。
【背景技術】
【０００２】
予め写真フイルムが装填された１回使用型の簡易型カメラとして、レンズ付きフイルムユニットが知られている。従来、レンズ付きフイルムユニットには、単３、単４型規格の乾電池が内蔵されることが一般的である。この単３，４型規格の乾電池は主に、レンズ付きフイルムユニットに組み込まれたストロボ装置の電源として用いられる。また、近年では、環境負荷の低減を図るために、ストロボ回路の省電力設計も進み、容量の大きい単３型から、より小さい単４型電池又はさらに小型の電池への切り替えが考えられており、このような小型の電池を使用することで、ＣＯ2 排出量の低減を図ることが望まれている。
【０００３】
上述したようにレンズ付きフイルムユニットに内蔵される乾電池は、レンズ付きフイルムユニットを構成する他の部品群と比較しても、寸法、重量ともに大きく、レンズ付きフイルムユニットの小型化を図るためには、乾電池の配置に様々な工夫を施すことが必要だった。
【０００４】
そこで、特許文献１では、レンズ付きフイルムユニットのユニット本体の構成が、撮影レンズなどを保持する鏡胴部、パトローネを収納するパトローネ室、及びフイルムを巻き取っておくスクロール室とからなり、鏡胴部とパトローネ室との間隙に乾電池を配置するとともに、この乾電池の反対側、すなわち鏡胴部とスクロール室との間隙に、ストロボ用のメインコンデンサを配置することによって部品配置の効率を向上し、レンズ付きフイルムユニットの小型化に寄与することを可能としている。
【０００５】
ところで、近年の産業廃棄物問題に対応して、上述したようなレンズ付きフイルムユニットも、その殆どの構成部品がリサイクル利用されるようになっており、レンズ付きフイルムユニットを製造した正規のメーカーは、リサイクルに際してストロボ装置を含む殆どの構成部品を分解し、洗浄、検査後に再び製造ラインに投入している。これにより、リサイクルされたレンズ付きフイルムユニットの品質を、新規に製造されたレンズ付きフイルムユニットと何ら変わらない高品質に維持している。
【０００６】
また、現在市販されているレンズ付きフイルムユニットの中には、ユニット本体を製造した正規のメーカーとは異なる第三者が、撮影済の写真フイルムカートリッジを抜き取った後の使用済みのユニット本体に、そのまま未使用の写真フイルムを再装填するとともに、電池などの消耗部品を新しいものと交換して販売している、いわゆる詰め替え製品と称されるものがある。
【０００７】
このような、正規の製造者とは異なる第三者がユニット本体を不正に再利用した、いわゆる詰め替え製品は、適正な検査や修理が行われずに販売されるため、信頼性に乏しいという問題がある。さらに、詰め替え製品に発生する問題は、レンズ付きフイルムユニットそのものに対する信頼性を傷つける。そして、レンズ付きフイルムユニットの信頼性の低下は、上述したようなリサイクルの促進も妨げることになるため、レンズ付きフイルムユニットの再使用防止のための工夫が各種なされている。
【０００８】
そこで、上述したようなレンズ付きフイルムユニットの小型化を図るとともに、不正な詰め替え使用を防止するための工夫として、従来の単３，４型規格とは異なる寸法のレンズ付きフイルムユニット専用の電池を使用することが考えられている。すなわち、このような専用電池を使用することで、レンズ付きフイルムユニット内部の部品配置の効率を向上して小型化を可能とし、且つ専用電池を抜き取っても単３，４型規格の乾電池を内蔵することが困難であるため、詰め替えの防止にもつながる。さらに、小型の専用電池を使用することで環境負荷の低減を図ることもできる。
【０００９】
一方、最近では、写真フイルムに関する技術の向上により、例えばＩＳＯ８００，ＩＳＯ１６００等の高感度のカラ−写真フイルムが日常的に利用されつつある。高感度フイルムは、室内や夜間の撮影において背景の描写性が向上するといった利点がある。このような高感度フイルムが予め装填されたレンズ付きフイルムユニットでは、ストロボ発光量が小さくても写真フイルムに十分な露光が得られるため、通常の一般的なフイルム（ＩＳＯ２００程度）を使用するレンズ付きフイルムユニットよりもストロボ発光量が小さく設定されている。このため、ストロボ装置へ供給する電源の使用量が非常に少なく、従来の単３，４型規格の電池を使用した場合、写真フイルム一本分の撮影を全て終了した後でも、電池の容量がほとんど残ってしまい、エネルギーの消費に無駄が多かった。よって、電源電池のエネルギーを無駄なく使い切ることを可能とするためにも、レンズ付きフイルムユニットの電池として小型のものを使用したいという要求が高まっている。
【００１０】
【特許文献１】特開平１０−２５４０３３号公報
【発明の開示】
【発明が解決しようとする課題】
【００１１】
しかしながら、これまではレンズ付きフイルムユニット専用の電池を製造することは、余り考えられていなかったため、上述したような従来の規格と寸法の異なる電池を製造した場合、レンズ付きフイルムユニットに内蔵される電源として適正な性能を得られるか未知数であり、さらに電池自体のコストが増加するおそれもある。さらにまた、そのような電池を製造する工程についても考えられていなかったので、寸法を小さくすることで、組み立てや部品加工を困難にし、製造効率を低下させてしまうという懸念もある。
【００１２】
また、上述したように、ＣＯ2 排出量の低減とともに、高感度フイルムを使用するレンズ付きフイルムユニットで電源電池を無駄なく使用したいという要求からも小型の電池を使用することが強く望まれている。
【００１３】
本発明は上記課題を解決するためになされたものであり、従来の規格に合わせた乾電池とは異なる寸法で、且つレンズ付きフイルムユニットに内蔵される電源として適正な性能を得ることが可能であるとともに、製造工程を容易に行うことができるレンズ付きフイルムユニット用電池、及び小型の電池を使用して電源を無駄なく使用することが可能なレンズ付きフイルムユニットをローコストに提供することを目的とする。
【課題を解決するための手段】
【００１４】
前記目的を達成するために、本発明のレンズ付きフイルムユニット用電池では、リング状に形成された複数の正極材と、この正極材の内部に配置される負極材と、前記正極材及び前記負極材の間に挟まれ、両者が接触しないように隔離するセパレータと、これら負極材、正極材、及びセパレータが封入されるケースとを備えたレンズ付きフイルムユニット用電池において、前記複数の正極材のうち、少なくとも１つは、他のものと寸法が異なるものを使用している。なお、前記複数の正極材のうち、他のものと異なる寸法を持つものは、その軸長が異なるように形成されていることが好ましい。または、前記複数の正極材のうち、他のものと異なる寸法を持つものは、その外周径が異なるように形成されていることも好ましい。
【００１５】
なお、前記ケースは、その外形寸法が、直径９ｍｍ以上且つ１５ｍｍ以下、軸長２４ｍｍ以上且つ４０ｍｍ以下の略円筒形状であることが好ましい。また、前記ケースは、正極側端部の形状が軸方向と直交する平面であり、その外形寸法が、直径９ｍｍ以上且つ１１ｍｍ以下、軸長２２ｍｍ以上且つ３８ｍｍ以下であることが好ましい。さらにまた、前記ケースは、軸方向において正極側に位置する正極側円筒部と、負極側に位置し、前記正極側円筒部よりも直径の大きい負極側円筒部とが組み合わされた形状であることも効果的である。あるいは、前記正極側円筒部と、前記負極側円筒部とは、その境界部分に形成された傾斜面で滑らかに連続して形成されていることも好ましい。
【００１６】
あるいは、正極側端部の形状が、軸方向に沿って突出する凸部、又は凹部、又は軸方向と直交する平面となるように形成していることも非常に効果的である。また、外部から視認できる位置に、レンズ付きフイルムユニット専用である標記を施していることが好ましい。さらにまた、正極側と負極側とを識別可能な標記を施していることが好ましい。
【００１７】
なお、前記ケースが、負極側端部が開口されたケース本体と、このケース本体の開口を封止するガスケットとからなり、このガスケットとして水素透過性のものを使用していることが好ましい。
【００１８】
本発明のレンズ付きフイルムユニットは、ＩＳＯ８００以上のフイルム感度を持つ高感度写真フイルムが予め装填されており、電源として単４型電池よりも寸法の小さい小型電池が組み込まれていることを特徴とする。
【００１９】
あるいは、本発明のレンズ付きフイルムユニットは、ＩＳＯ１６００以上のフイルム感度を持つ高感度写真フイルムが予め装填されており、電源として単４型電池よりも寸法の小さい小型電池が組み込まれていることを特徴とする。
【００２０】
また、本発明のレンズ付きフイルムユニットは、システム感度をＧ、シャッタ速度をＴ秒、絞り値をＡ、写真フイルムのフイルム感度（ＩＳＯ）をＳとしたとき、
Ｇ＜８．０
但し、Ｇ＝２log2（Ａ）＋log2（１／Ｔ）−log2（Ｓ／１００）
の条件式を満たすとともに、電源として単４型電池よりも寸法の小さい小型電池が組み込まれていることを特徴とする。
【００２１】
なお、前記小型電池として単５型電池が使用されていることが好ましい。あるいは、前記小型電池として前記レンズ付きフイルムユニット用電池が使用されていることが好ましい。
【００２２】
また、発光用メインコンデンサ、前記小型電池から供給される電荷を前記発光用メインコンデンサに充電する充電回路、ストロボ放電管、及び前記発光用メインコンデンサに蓄積された電荷を前記ストロボ放電管に放電させてストロボ発光させる発光回路とからなるストロボ装置が組み込まれ、前記発光用メインコンデンサの容量ＣM （μＦ）が
ＣM ≦６０
の条件を満たすことが好ましい。
【発明の効果】
【００２３】
本発明のレンズ付きフイルムユニット用電池は、複数の正極材のうち、少なくとも１つは、他のものと寸法が異なるものを使用しているので、従来規格の乾電池とは異なる寸法で、且つレンズ付きフイルムユニットの電源として適正な性能を得ることが可能な電池を、ローコストに提供することができるとともに、製造工程を容易にすることが可能であり、さらにレンズ付きフイルムユニットの電源として使用されることで、レンズ付きフイルムユニットの不正な詰め替えの防止にもつながる。
【００２４】
また、本発明のレンズ付きフイルムユニットは、ＩＳＯ８００以上、あるいはＩＳＯ１６００以上のフイルム感度を持つ高感度写真フイルムが予め装填されており、またシステム感度Ｇが、Ｇ＜８．０の条件式を満たしており、且つ電源として単４型電池よりも寸法の小さい小型電池が組み込まれているので、電源を無駄なく使用することが可能である。
【発明を実施するための最良の形態】
【００２５】
本発明の第１の実施形態を適用したレンズ付きフイルムユニット用電池を図１、図２、及び図３に示す。このレンズ付きフイルムユニット用電池（以下、単に電池と称する）１は、いわゆるアルカリ電池であり、第１〜３正極材２ａ〜ｃと、負極材３と、セパレータ４と、これらを封入するケース５とからなる。
【００２６】
正極材２ａ〜ｃは、正極活物質であるＭｎＯ2 と、電解液である水酸化カリウム水溶液等の混練物をリング状に成形および固化したものを使用している。そして、この正極材２ａ〜ｃは、ケース５の内部に同軸上に位置するように３段積み重ねた状態で封入されている。なお、正極材２ａ〜ｃの材料としては、導電補助剤として例えば、黒鉛、アセチレンブラック、ケッチエンブラックなどを混入させることもある。この正極材２ａ〜ｃのうち、第１正極材２ａ及び第２正極材２ｂは、ともに外形寸法が同じ、すなわち外周径Ｄ、内周径ｄ、及び軸長Ｌがともに同じように形成されている。そして、第３正極材２ｃは、外周径Ｄ及び内周径ｄは第１，２正極材２ａ，２ｂと同じであるが、その軸長ｌが、第１，２正極材２ａ，２ｂの軸長Ｌよりも短い寸法に形成されている。
【００２７】
ケース５は、詳しくは図２に示すように、ケース本体８と、封止部材９とからなる。ケース本体８は、鋼板をプレス加工などにより形成したものであり、一端部（正極側）が塞がれ、他端部（負極側）が開口された略円筒形状に形成されている。封止部材９は、このケース本体８の負極側を封止する。ケース本体８の一端部には、軸方向に沿って突出し、小さな円板状に形成された正極端子１１が一体に設けられている。
【００２８】
このケース本体８の内周径は、正極材２ａ〜ｃの外周径Ｄに合わせて形成されており、その内周面８ａには、導電性皮膜が形成されている。この導電性皮膜は、粉末状黒鉛などの導電性材料を塗布することなどによって形成されている。そして、正極材２ａ〜ｃをケース本体８の内部に挿入すると、正極材２ａ〜ｃの外周面がケース本体８の内周面８ａに形成された導電性皮膜に嵌合して、正極材２ａ〜ｃと、ケース本体８とが電気的に接合した状態となる。
【００２９】
なお、ケース５は、例えば、従来規格の単３型電池よりも軸長のみが短く形成されている。すなわち、ケース５の外形寸法は、直径ＤA が９ｍｍ以上、且つ１５ｍｍ以下、軸長ＬA が２４ｍｍ以上、且つ４０ｍｍ以下となるように形成されている。
【００３０】
さらに、ケース本体８の表面８ｂには、図２の拡大図に示すように、商品名や模様などを表すためのラベル１０が貼付されており、このラベル１０には、図１に示すように、レンズ付きフイルムユニット専用の電池であることを示すための注意書き１０ａがラベル１０への印刷によって形成されている。またさらに、ラベル１０には、正極端子側であることを示すための「＋」印の図柄１０ｂ、及び負極端子側であることを示すための「−」印の図柄１０ｃが形成されている。なお、これらレンズ付きフイルムユニット用電池であることを示すための標記、及び正極端子側、負極端子側であることを示すための標記は、ラベル１０への印刷に限らず、ケース本体８への塗装や印字を施すことで形成してもよい。
【００３１】
セパレータ４は、アルカリ電解液に強い部材、例えば樹脂製の不織布などからプレス加工などによって形成されており、正極材２ａ〜ｃの内周径に合わせて形成された略円筒形状で、一端部が塞がれ、他端部が開口されている。このセパレータ４を形成する不織布の材質としては例えば、ビニロン、レーヨンなどの樹脂が用いられるが、これに限るものではなく、ポリアミド、塩化ビニル−アクリルニトリル共重合体、ポリオレフィンなどの合成繊維、また天然繊維、ガラス繊維などを使用することができる。セパレータ４は、正極材２ａ〜ｃの内部に嵌合される。
【００３２】
このセパレータ４の内部には、図２に示すように、負極材３が充填される。負極材３は例えば、負極活物質である亜鉛粉末と、電解液である水酸化カリウム水溶液と、負極活物質及び電解液を均一に分散し、負極材３をゲル状に維持させておくための増粘剤等を混合して形成されている。このゲル状の負極材３が、セパレータ４の他端部側の開口部４ａから注入されることによって、セパレータ４の内部に充填される。上述したようにセパレータ４は、アルカリ電解液に強い部材を使用しているので、セパレータ４は正極材２ａ〜ｃ及び負極材３の間に挟まれて両者が電気的且つ物理的に接触しないように隔離している。
【００３３】
封止部材９は、負極集電体１５、負極端子を兼ねる封止板１６、ガスケット１７、キャップ１８とからなる。負極集電体１５は、真鍮などの金属から棒状に形成されたものであり、一端部１５ａ側が上述したゲル状の負極材３の内部に挿入されており、他端部１５ｂ側は負極材３から突出している。この負極材３から突出している負極集電体１５の端部１５ａには、ガスケット１７が固着されている。ガスケット１７は、ポリアミド樹脂などから、２重の円盤を重ねた形状に成形されている。ガスケット１７の負極端子側には、金属製のキャップ１８が嵌合されている。このキャップ１８は、リング状に形成されており、外周面１８ａがガスケット１８に嵌合し、内周面１８ｂが負極集電体１５に嵌合している。さらに、このキャップ１８には、封止板１６が当接している。封止板１６は、円盤状の中央部１６ａの周りに周縁部１６ｂが配設されるように、金属板をプレス加工して形成されたものである。
【００３４】
この封止部材９がケース本体８に取り付けられるときには、ガスケット１７及びキャップ１８が取り付けられた負極集電体１５が負極材３の中に挿入され、さらに封止板１６の周縁部１６ｂがキャップ１８に当接され、且つ負極集電体１５の他端部１５ｂが封止板１６の中央部１６ａに当接した状態で、ケース本体８の端縁部８ｃをガスケット１７の周縁部１７ａとともに折り返して封止板１６の集縁部１６ａに係合させる。これによって、ケース本体８の他端側の開口部８ａが封止部材９によって封止された状態となる。
【００３５】
なお、封止部材９を構成するガスケット１７としては、周知の水素透過性のあるフイルタ、例えば多孔性ポリウレタンフォームなどの材料から形成されることが好ましい。この封止部材９を水素透過性のある材料から形成することによって、負極材３から発生される水素ガスが、ガスケット１７を透過して外部に流出されるので、従来の規格に適合させたアルカリ電池のように水素を貯留させるスペースを内部に設ける必要がないので、負極材３又は正極材２ａ〜ｃをケース５の容量の限界近くまでに無駄なく充填することが可能となる。よって、電池１全体を小型化するためにケース５の容量を従来の規格に合わせた電池より少なくしても、十分な電力を供給できる性能を維持することができる。
【００３６】
以上のような構成とすることによって、電池１を容易に製造することが可能であり、且つローコスト化を図ることが可能である。このことを図４に示す従来の規格に合わせたアルカリ電池２１と比較して説明する。なお、従来規格のアルカリ電池２１としては、電池１との比較の都合上、単３型規格のものとする。
【００３７】
従来規格のアルカリ電池２１は、３つの正極材２２と、負極材２３と、セパレータ２４と、これらを封入するケース２５とからなる。正極材２２は、上述した第１，２正極材２ａ，２ｂと外形寸法が同じ、すなわち外周径Ｄ、内周径ｄ、及び軸長Ｌがともに同じものが使用されている。そして、この３つの正極材２２は、ケース２５の内部に、同軸上に位置するように３段積み重ねた状態で封入されている。ケース２５は、ケース本体２８と、封止部材２９とからなる。ケース本体２８の一端部には、正極端子３１が一体に設けられている。封止部材２９は、負極集電体３５、負極端子を兼ねる封止板３６、ガスケット３７、キャップ３８とからなる。そして、この従来規格のアルカリ電池２１も、上述の電池１と同様に、封止部材２９がケース本体２８の負極側を封止するように取り付けられている。
【００３８】
このような構成の従来規格のアルカリ電池２１と、本発明の電池１を比較すると、まず、電池１を構成する第１，２正極材２ａ，２ｂとして、従来の正極材２２を使用することが可能であり、さらに、第３正極材２ｃについても軸長のみ変更するだけであるから、従来の正極材３を製造する生産ラインを使用して第１〜第３正極材２ａ〜ｃを容易に製造することが可能である。また、セパレータ４、及びケース本体８についても軸長のみを変更するだけであるから、従来のセパレータ２４、及びケース本体２８の生産ラインからプレス加工用の金型の一部を変更するのみで対応することができる。また、封止部材９については、全て従来の部品を流用することが可能である。これによって、従来の生産ラインに大幅な変更を加えることなく、また一部の部品を従来規格のアルカリ電池２１の部品から流用して本発明の電池１を製造することが可能なので、従来規格のアルカリ電池２１とは異なる寸法の電池１を容易に、且つローコストに提供することが可能であり、さらに、従来の正極材と、本発明を構成する正極材の寸法との比較から、電池１が供給する電力の性能を容易に設定することが可能であり、レンズ付きフイルムユニット用の電池として十分な性能を維持することが可能である。
【００３９】
そして、本発明の電池１は、図５に示すようなレンズ付きフイルムユニット５１に装填されている。このレンズ付きフイルムユニット５１は、各種撮影機構が組み込まれたユニット本体５３と、このユニット本体５３を部分的に覆う外装用のラベルシート５４とから構成されている。ユニット本体５３の前面には、撮影レンズ５５、対物側ファインダ窓５６、ストロボ発光窓５７、ストロボ充電切替スイッチ５８等が設けられている。また、ユニット本体５３の上面には、レリーズボタン６１、残り撮影可能コマ数を表示するカウンタ窓６２、ストロボ充電表示用のライトガイド６３が形成されている。さらに、ユニット本体５３の背面側には、巻上げノブ６４、接眼側ファインダ窓などが露呈される。
【００４０】
図６に示すように、ユニット本体５３は、露光装置６６、ストロボ装置６７等が組み込まれる本体基部６９と，その本体基部６９の前後を覆うように取り付けられる、前カバー７０及び後カバー７１とから構成されている。前カバー７０には、撮影レンズ５５、対物側ファインダ窓５６、ストロボ発光部５７、ストロボ充電切替スイッチ５８等を露呈するための開口が形成されている。本体基部６９には、左右にカートリッジ室７２とフイルムロール室７３とが一体に形成されており、それらの間に露光装置６６が配設されている。カートリッジ室７２にはフイルムカートリッジ７５が、フイルムロール室７３には、フイルムカートリッジ７５から引き出され、ロール状に巻かれた未露光の写真フイルム７５ａがそれぞれ装填されている。露光装置６６とフイルムロール室７３との間には、ストロボ装置６７が爪結合により取り付けられる。
【００４１】
ストロボ装置６７は、回路基板７６にストロボ発光部５７、メインコンデンサ７８、シンクロスイッチ７９等を組み付けてユニット化したものである。ストロボ充電切替スイッチ５８が上方に向けてスライドされると、回路基板７６上に設けられた金属接片７６ａがＯＮとなりメインコンデンサ７８への充電が開始される。このストロボ装置６７は、シャッタ機構を作動させたときに回動するシャッタ羽根（図示せず）によりシンクロスイッチ７９が短絡し、ストロボ光を発光させるようになっている。
【００４２】
回路基板７６の一端には、負極接片８１と正極接片８２とからなる電池ホルダ８３が形成され、本発明の電池１を装着してストロボ回路に給電を行う。正極接片８２、及び負極接片８１は全体が金属板で折り曲げ形成され、電池１の正極端子１１と負極端子１６に各々接触し、弾性により電池１を保持する。
【００４３】
本発明の電池１は、図７に示すような状態でレンズ付きフイルムユニット５１の内部に組み込まれている。すなわち、電池１は、電池ホルダ８３によって保持されてストロボ装置６７とともに本体基部６９に組み付けられ、前カバー７０及び後カバー７１によって覆われている。そして、電池ホルダ８３を構成する正極接片８２及び負極接片８１の寸法は、電池１の寸法に合わせて形成されており、すなわち、正極端子１１と接触する正極接片８２の接触部８２ａと、負極端子１６と接触する負極接片８１の接触部８１ａとの間隔ＬD は、電池１の軸長ＬA に合わせて形成されている。さらに、本体基部６９から、電池１の両端部を囲むように突出する突出部６９ａ、６９ｂが一体に形成されており、この突出部６９ａ，６９ｂが正極端子１１、及び負極端子１６の付近に位置し、正極接片８２及び負極接片８１と当接する。
【００４４】
そして、本発明の電池１が装填されたレンズ付きフイルムユニット５１が正規のメーカー以外の第三者に回収され、不正な詰め替えが行われようとしても、上述したように、電池１は、その両端が正極接片８２及び負極接片８１によって保持され、さらに本体基部６９によって周りが囲まれるようにして収納されているので、電池１を取り外して従来規格の電池２１を入れようとしても、負極接片８１、正極接片８２、及び本体基部６９の突出部６９ａ，６９ｂは、電池１の寸法に合わせて形成されているから、レンズ付きフイルムユニット５１に従来規格の電池２１を内蔵することは困難である。
【００４５】
なお、上記実施形態においては、電池１を構成する複数の正極材のうち、１つの正極材について軸長のみを異なる寸法に形成したものを使用する例を上げているが、本発明はこれに限るものではなく、図８に示すような正極材８７ａ〜ｃを用いた電池８６としてもよい。なお、図８において上記実施形態と同様の部材、及び部品を用いている場合には、同符号を付して説明を省略する。
【００４６】
電池８６は、第１〜３正極材８７ａ〜ｃ，負極材３と、セパレータ４と、これらを封入するケース８８とからなる。正極材８７ａ〜ｃのうち、第１正極材８７ａ及び第２正極材８７ｂは、外周径Ｄ、内周径ｄ、及び軸長Ｌがともに同じように形成されている。そして、第３正極材８７ｃは、内周径ｄについては第１，２正極材８７ａ，８７ｂと同じであるが、その軸長ｌ´が、第１，２正極材８７ａ，８７ｂの軸長Ｌよりも短く、外周径Ｄ´が第１，２正極材８７ａ，８７ｂよりも長い寸法に形成されている。そして、この正極材８７ａ〜ｃは、ケース８８の内部に、同軸上に位置するように、且つ第３正極材８７ｃが最も負極側に位置するように３段積み重ねた状態で封入されている。ケース８８は、ケース本体８９と、封止部材９０とからなる。ケース本体８９の一端部には、正極端子１１が一体に設けられている。封止部材９０は、負極集電体９１、負極端子を兼ねる封止板９２、ガスケット９３、キャップ９４とからなる。そして、この電池８６も、上述の電池１と同様に、封止部材９０がケース本体８９の負極側を封止するように取り付けられている。
【００４７】
ケース本体８９は、上述した第１，２正極材８７ａ，８７ｂの外周径Ｄと、第３正極材８７ｃの外周径Ｄ´との違いに合わせて、軸方向において正極側に位置する正極側円筒部８９ａと、負極側に位置し、正極側円筒部８９ａよりも直径の大きい負極側円筒部８９ｂとが組み合わされた形状となるように、プレス加工などにより形成されている。また正極側円筒部８９ａと、負極側円筒部８９ｂとの境界部分には、傾斜面８９ｃが形成されている。この傾斜面８９ｃは、正極側円筒部８９ａから、負極側円筒部８９ｂに向かって徐々に直径が大きくなるように滑らかに連続している。これによって、正極材８７ａ，８７ｂをケース本体８９の内部に挿入するとき、正極端子１１側へスムーズに落とし込めるので、組み立ての容易化を図ることが可能であり、また、この傾斜面８９ｃを設けることによって、ケース本体８９のプレス加工を容易に行うことができる。
【００４８】
また、上記実施形態においては、正極端子１１が従来規格の電池と同様の形状をしているが、本発明はこれに限るものではなく、図９〜図１２に示すような形状でもよい。なお、図９〜図１２において上記実施形態と同様の部材、及び部品を用いている場合には、同符号を付して説明を省略する。
【００４９】
図９に示す電池９６では、正極端子９７は、ケース９８の軸方向に対して突出し、且つその直径Ａが従来規格の電池より大きい円盤状になっている。図１０に示す電池１０１では、正極端子１０２は、ケース１０３の軸方向に対して直交する平面で、ケース１０３の外周面１０３ａの端縁１０３ｂから連続するように形成されている。なお、この図１０に示す電池１０１の場合、正極端子１０２が突出しない分、上記実施形態よりもケース１０３の軸長が短い。そして、このケース１０３の外形寸法は直径ＤA2が９ｍｍ以上、且つ１１ｍｍ以下、軸長ＬA2が２２ｍｍ以上、且つ３８ｍｍ以下に形成されることが好ましい。
【００５０】
また、図１１に示す電池１０６では、正極端子１０７は、軸方向に沿って突出する円柱状であるが、その端面１０７ａは、ケース１０８の外周面１０８ａの端縁１０８ｂから負極端子１６側へ奥まった位置に形成されている。さらに、正極端子１０７の周囲も、正極端子１０７の位置に合わせて凹む凹部１０９となっている。
【００５１】
また、図１２に示す電池１１１では、正極端子１１２は、その中央部に軸方向に沿って凹んでおり、且つその断面が半球状に切り欠かれたような凹部１１２ａが形成されている。また、この凹部１１２ａの周囲は、ケース１１３の外周面１１３ａと直交する平面１１２ｂが形成されている。
【００５２】
この図９〜１２に示すように、従来規格の電池とは異なる正極端子の形状とすることによって、これに合わせたレンズ付きフイルムユニットの正極接片の形状も従来のものとは異なる形状となるので、これらの電池９６，１０１，１０６，１１１を取り外しても、従来規格の電池を入れることは不可能であり、不正な詰め替えを防ぐことができる。特に電池１０６は、正極端子１０６の周囲に凹部１０９があり、電池１１１は、正極端子１１２の中央に凹部１１２ａが形成されているので、レンズ付きフイルムユニットの正極接片には、これらの凹部１０９又は凹部１１２ａに合わせた凸部を形成することによって、さらに詰め替えが行われることを困難にすることができる。
【００５３】
なお、上記実施形態においては、正極材として、外周面も内周面も円形状の断面となるリング状の形態をしたものを使用しているが、本発明はこれに限るものではなく、例えば、内周面及び外周面のいずれか一方が、４角形や６角形などの多角形断面をしており、且つ内周面及び外周面の他方が円形状となっているものでもよいし、内周面及び外周面ともに多角形断面のものでもよい。また、上記実施形態においては、複数の正極材のうち、１つの正極材だけ寸法の異なるものとしているが、これに限るものではなく、２つ以上の寸法の異なる正極材を組み合わせてもよい。
【００５４】
上記第１の実施形態は、レンズ付きフイルムユニットで使用する写真フイルムの種類については特に言及していないが、本発明においては、レンズ付きフイルムユニットに予め装填されている写真フイルムとして、高感度タイプのものを使用することによって、さらに効果を高めることができる。以下では、高感度タイプの写真フイルムを使用する本発明の第２の実施形態について説明する。
【００５５】
本実施形態を適用したレンズ付きフイルムユニットは、図１３に示すような構成となっている。なお、図１３〜１５については、上記第１の実施形態と同様の部品及び部材を用いているものについては同符号を付して説明を省略する。このレンズ付きフイルムユニット１２０は、ユニット本体１２１と、外装用のラベルシート５４とからなり、ユニット本体１２１の前面には、撮影レンズ５５、対物側ファインダ窓５６、ストロボ発光窓５７、ストロボ充電切替スイッチ５８、及び受光窓１２２が設けられている。また、ユニット本体１２１の上面には、レリーズボタン６１、カウンタ窓６２、ストロボ充電表示用のライトガイド６３が形成されている。
【００５６】
ユニット本体１２１は、図１４に示すように、露光装置６６、ストロボ装置１２６等が組み込まれる本体基部６９と、前カバー７０及び後カバー７１とから構成されており、高感度タイプのフイルムカートリッジ１３０が予め装填されている。なお、フイルムカートリッジ１３０はカートリッジ室７２に、カートリッジ１３０から引き出され、ロール状に巻かれた未露光の写真フイルム１３０ａはロール室７３にそれぞれ装填されている。なお、このレンズ付きフイルムユニット１２０に使用される高感度タイプの写真フイルム１３０ａとしては、ＩＳＯ感度が８００以上のものが好ましく、ＩＳＯ感度１６００以上のものがさらに好ましい。
【００５７】
ストロボ装置１２６は、オートストロボといわれる周知の自動調光式のものであり、高感度タイプの写真フイルム１３０ａに必要な露光量に合わせて、そのストロボ発光量が通常のものより小さく設定されている。ストロボ装置１２６の発光量は、以下で説明するシステム感度Ｇの値に応じて設定されている。システム感度Ｇとは、ＩＳＯ感度Ｓの写真フイルムを内蔵したレンズ付きフイルムユニットで、シャッタ速度Ｔ（秒）、絞り値Ａの構成で撮影したときに、写真フイルムに最適な露光量を与えることができる値を表すものであり、このシステム感度Ｇは以下の式（１）で定義される。
Ｇ＝２log2（Ａ）＋log2（１／Ｔ）−log2（Ｓ／１００）‥‥（１）
この式（１）より求められたシステム感度Ｇの値が小さい程、低い被写体輝度でも撮影が可能ということになるので、このシステム感度Ｇの値が小さければ、ストロボ装置１２６が発光する発光量も少なくてもよい。そこで、本実施形態では、このシステム感度Ｇが
Ｇ＜８．０
の条件を満たすことが好ましい。
【００５８】
ストロボ装置１２６は、ストロボ発光部５７、ストロボ回路１３５（図１５参照）を構成する各種部品が実装される回路基板１３６、メインコンデンサ１３７、シンクロスイッチ７９などから構成される。ストロボ発光部５７は、略箱形状のレフケース５７ａ、このレフケース５７ａの内部に収納されるリフレクタ（図示せず）、キセノン放電管５７ｂ（図１５参照）、およびレフケース５７ａの前面に取り付けられるプロテクタ５７ｃから構成される。
【００５９】
回路基板１３６上には、金属接片１３６ａが設けられ、ストロボ充電切替スイッチ５８が上方に向けてスライドされるとＯＮ状態となりメインコンデンサ１３７への充電が開始される。また、回路基板１３６の一端には、負極接片８１と正極接片８２とからなる電池ホルダ８３が形成され、電源電池１を装着してストロボ回路に給電を行う。なお、この電源電池１としては、上記第１の実施形態と同様にレンズ付きフイルムユニット専用電池を使用している。さらに、回路基板１３６には、ストロボ反射光を受光する受光素子としてのフォトトランジスタ１３９が実装される。このフォトトランジスタ１３９は、受光窓１２２の背後に配されており、被写体からの反射光を受光して、その受光強度に応じた光電電流を発生する。また、回路基板１３６には、発光ダイオード（図示せず）が実装されており、メインコンデンサ１３７が規定充電電圧まで充電されると点灯する。この発光ダイオードから発せられた光は、ライトガイド６３を通して外部へと導かれる。
【００６０】
メインコンデンサ１３７は、蓄積した電荷をキセノン放電管５７ｂへ流してストロボ発光を行うために用いられる。上述したように、本実施形態ではストロボ発光量を小さくするように設定されていることから、メインコンデンサ１３７として容量の小さなものが使用されており、このメインコンデンサ１３７の容量ＣM （μＦ）の値が
ＣM ≦６０
の条件を満たすことが好ましい。
【００６１】
回路基板１３６に形成されるストロボ回路１３５は、図１５に示すように、キセノン放電管５７ｂ、メインコンデンサ１３７、昇圧回路１４１、調光回路１４２、トリガ回路１４３、及び電池１からなる。
【００６２】
昇圧回路１４１は、ストロボ装置１２６がＯＮ状態のとき、電池１から供給される電圧を昇圧するとともに、昇圧された電圧をメインコンデンサ１３７に充電し、その充電レベルが所定値に到達するまでメインコンデンサ１３７に電荷が蓄積される。トリガ回路１４３は、シャッタ機構の作動によりシンクロスイッチ７９がオンされたときに同期して、キセノン放電管５７ｂに発光トリガを与え、メインコンデンサ１３７に充電された電荷をキセノン放電管５７ｂに流して発光（放電）させる。調光回路１４２は、被写体から反射されたストロボ光をフォトトランジスタ１３９が受光し、その受光強度に応じた光電電流から受光量を検出し、この受光量が所定値に達したとき、トリガ回路１４３を停止させ、ストロボ発光を終了させる。
【００６３】
上記構成の作用について以下に説明する。夜間撮影や室内撮影を行う際には、撮影者はストロボ充電切替スイッチ５８をオン位置にスライド移動する。これにより、昇圧回路１４１が動作を開始してメインコンデンサ１３７が充電される。メインコンデンサ１３７が規定充電電圧に達すると発光ダイオードが点灯する。撮影者は、ライトガイド６３より発光ダイオードの点灯を確認し、ファインダを通して撮影範囲を決定した後にレリーズボタン６１を押圧して撮影を行う。レリーズボタン６１の押圧により、シャッタ機構が作動してシンクロスイッチ７９がオンする。これと同時にトリガ回路１４３がオンになり、メインコンデンサ１３７の蓄積電荷がキセノン放電管５７ｂを通して放電する。キセノン放電管５７ｂで発生したストロボ光は、被写体に向けて照射される。
【００６４】
ストロボ光が被写体に照射されると、その反射光の一部が受光窓８を通してフォトトランジスタ１３９に入射する。フォトトランジスタ１３９から検出された受光量が所定レベルに達すると、キセノン放電管５７ｂへの放電が停止される。上述したように、本実施形態では、容量が小さいメインコンデンサ１３７を使用しているが、高感度タイプの写真フイルム１３０ａを使用し、さらにシステム感度Ｇが小さい値（Ｇ＜８．０）に設定されているので、ストロボ光量が不足することはない。さらに、電源電池として、寸法の小さい電池１を使用しているが、ストロボ発光量が小さくなるように設定されているので、一本分の写真フイルム１３０ａを全て撮影しても電池切れになることはなく、また余計に電源容量を残すこともないので、電源電池として必要十分な容量であり、エネルギーを無駄なく使うことができる。
【００６５】
なお、上記第２の実施形態においては、レンズ付きフイルムユニット専用の電池を使用した場合を例に上げて説明しているが、本発明はこれに限らず、従来使用していた単４型電池よりも寸法が小さい電池であればよく、例えば単５型規格の電池でもよい。
【実施例】
【００６６】
上記第２の実施形態を適用したレンズ付きフイルムユニットについて、実施例を上げて本発明を具体的に説明するが、本発明の内容がこれらに限定されるものではない。以下の表１は、それぞれ仕様の異なる試作品を表す実施例１〜３、及び本発明に対する比較用の従来型レンズ付きフイルムユニットを表す比較例１について、ストロボ到達距離、背景描写などについて、その結果を示している。なお、表中の背景描写の評価は、◎；描写性が非常に良い、○；描写性が良い、×；描写性が悪い、という状態を表している。
【００６７】
【表１】
2005123155.tif 000003
【００６８】
［実施例１］
上記第２の実施形態のレンズ付きフイルムユニットと同様の構成で、絞りがＦ８、シャッタ速度Ｔが１／６０、フイルム感度Ｓが１６００（ＩＳＯ）、システム感度Ｇが７．９（上記の式（１）より求めた。）とし、また、メインコンデンサの容量ＣM が６０μＦで、電源として上記第１，２の実施形態で説明したレンズ付きフイルムユニット専用電池を内蔵する試作品を製造し、ストロボ発光時のストロボ光量（ガイドナンバーＧＮ）、ストロボ到達距離について測定、さらにプリント時の背景描写について観察した。その結果、ガイドナンバーＧＮは７．０、ストロボ到達距離は６ｍとなり、従来型よりも少ない電池容量、且つ少ないメインコンデンサ容量で、従来型以上のストロボ到達距離を得ている。さらにプリント時の背景描写も良好となっている。
【００６９】
［実施例２］
上記第２の実施形態のレンズ付きフイルムユニットと同様の構成で、絞りがＦ６．３、シャッタ速度Ｔが１／４５、フイルム感度Ｓが８００（ＩＳＯ）、システム感度Ｇが７．８（上記の式（１）より求めた。）とし、また、メインコンデンサの容量ＣM が５０μＦで、電源として単５型電池を内蔵する試作品を製造し、実施例１と同様の測定及び観察を行った。その結果、ガイドナンバーＧＮは６．０、ストロボ到達距離は５ｍとなり、従来型よりも少ない電池容量、且つ少ないメインコンデンサ容量で、従来型と同等のストロボ到達距離を得ている。さらにプリント時の背景描写も良好となっている。
【００７０】
［実施例３］
上記第２の実施形態のレンズ付きフイルムユニットと同様の構成で、絞りがＦ５．６、シャッタ速度Ｔが１／４５、フイルム感度Ｓが３２００（ＩＳＯ）、システム感度Ｇが５．５（上記の式（１）より求めた。）とし、また、メインコンデンサの容量ＣM が４０μＦで、電源として上記第１，２の実施形態で説明したレンズ付きフイルムユニット専用電池を内蔵する試作品を製造し、実施例１と同様の測定及び観察を行った。その結果、ガイドナンバーＧＮは５．０、ストロボ到達距離は９ｍとなり、従来型よりも少ない電池容量、且つ少ないメインコンデンサ容量で、従来型以上のストロボ到達距離を得ている。さらにプリント時の背景描写が非常に良好となっている。また、この実施例３で製造した試作品の場合、ストロボ発光部の前面に光量を調節するための複数の孔が形成された減光板等を配置することによって、ストロボ光の照射範囲を調節するとともに、ストロボ発光量を適正な光量に調節することが可能となる。よって、この減光板を設けた場合、背景描写がさらに向上し、被写体と背景の光量バランスのとれた撮影が可能となる。
【００７１】
［比較例１］
従来構成のレンズ付きフイルムユニットで、絞りがＦ１０、シャッタ速度Ｔが１／１４０、フイルム感度Ｓが８００（ＩＳＯ）、システム感度Ｇが１１．０（上記の式（１）より求めた。）とし、また、メインコンデンサの容量ＣM が９０μＦで、単４型電池を内蔵する市販品を使用し、実施例１と同様の測定及び観察を行った。その結果、ガイドナンバーＧＮは８．５、ストロボ到達距離は５ｍとなり、プリント時の背景描写が悪くなっている。
【００７２】
以上のように、本発明を適用した実施例１〜３は、従来型の比較例１よりも少ない電池容量で、且つ少ないメインコンデンサ容量の構成となっているにもかかわらず、従来型と同等以上のストロボ到達距離を得ることが可能となり、さらに背景描写が向上している。
【図面の簡単な説明】
【００７３】
【図１】レンズ付きフイルムユニット用電池の外観斜視図である。
【図２】レンズ付きフイルムユニット用電池の要部断面図である。
【図３】レンズ付きフイルムユニット用電池の分解斜視図である。
【図４】従来規格の電池を示す要部断面図である。
【図５】レンズ付きフイルムユニットの外観斜視図である。
【図６】レンズ付きフイルムユニットの分解斜視図である。
【図７】レンズ付きフイルムユニット用電池のレンズ付きフイルムユニット内部における装填状態を示す要部断面図である。
【図８】第２実施例を示す要部断面図である。
【図９】第３実施例を示す要部断面図である。
【図１０】第４実施例を示す要部断面図である。
【図１１】第５実施例を示す要部断面図である。
【図１２】第６実施例を示す要部断面図である。
【図１３】第２実施形態を適用したレンズ付きフイルムユニットの外観斜視図である。
【図１４】第２実施形態を適用したレンズ付きフイルムユニットの分解斜視図である。
【図１５】ストロボ装置の構成の概略を示すブロック図である。
【符号の説明】
【００７４】
１  レンズ付きフイルムユニット用電池
２ａ〜ｃ，２２，８７ａ〜ｃ  正極材
３，２３  負極材
４，２４  セパレータ
５  ケース
８  ケース本体
９  封止部材
１７  ガスケット
５１，１２０  レンズ付きフイルムユニット
１２６  ストロボ装置
１３０  高感度タイプフイルムカートリッジ
１３０ａ  高感度タイプ写真フイルム
１３７  メインコンデンサ
【図１】
2005123155.tif 000004
【図２】
2005123155.tif 000005
【図３】
2005123155.tif 000006
【図４】
2005123155.tif 000007
【図５】
2005123155.tif 000008
【図６】
2005123155.tif 000009
【図７】
2005123155.tif 000010
【図８】
2005123155.tif 000011
【図９】
2005123155.tif 000012
【図１０】
2005123155.tif 000013
【図１１】
2005123155.tif 000014
【図１２】
2005123155.tif 000015
【図１３】
2005123155.tif 000016
【図１４】
2005123155.tif 000017
【図１５】
2005123155.tif 000018